(57)【要約】【課題】端部キャップの脱落を防止することができる竿掛けを提供する。【解決手段】本発明にかかる竿掛け１は、竿受け２３と、竿受け支持材１９と、端部キャップ２１とを備え、端部キャップ２１は、竿受け支持材１９の端部に装着するものであり、係合部４１を有し、竿受け２３は、竿受け支持材１９の端部にネジ２５で固定するものであり、被係合部６３を有し、端部キャップ２１の係合部４１を竿受け２３の被係合部６３に係合して端部キャップ２１を抜け止めしている。【選択図】図１
2018121546.tif 000002
【特許請求の範囲】
【請求項１】
竿受けと、竿受け支持材と、端部キャップとを備え、端部キャップは、竿受け支持材の端部に装着するものであり、係合部を有し、竿受けは、竿受け支持材の端部にネジで固定するものであり、被係合部を有し、端部キャップの係合部を竿受けの被係合部に係合して端部キャップを抜け止めしていることを特徴とする竿掛け。
【発明の詳細な説明】
【技術分野】
【０００１】
本発明は、竿掛けに関する。
【背景技術】
【０００２】
図７に示すように、従来の竿掛け１０１は、竿受け１０３がネジ止めされている竿受け支持材１０５の端に、端部キャップ１０７が装着されていた。
【発明の概要】
【発明が解決しようとする課題】
【０００３】
しかし、従来の竿掛け１０１では、端部キャップ１０７は竿受け支持材１０５の端に挿入して嵌めているだけであるため、端部キャップ１０７が脱落する虞があった。
【０００４】
そこで、本発明は、端部キャップの脱落を防止することができる竿掛けの提供を目的とする。
【課題を解決するための手段】
【０００５】
請求項１に記載の発明は、竿受けと、竿受け支持材と、端部キャップとを備え、端部キャップは、竿受け支持材の端部に装着するものであり、係合部を有し、竿受けは、竿受け支持材の端部にネジで固定するものであり、被係合部を有し、端部キャップの係合部を竿受けの被係合部に係合して端部キャップを抜け止めしていることを特徴とする竿掛けである。
【発明の効果】
【０００６】
請求項１に記載の発明によれば、竿受け支持材の端部に装着した端部キャップは、竿受けに係合しているので、端部キャップの脱落を防止できる。
竿受けのネジ止めと同時に端部キャップを固定できるから、組み立て性が良い。
端部キャップはネジ等で固定していないので、意匠性が良い。
【図面の簡単な説明】
【０００７】
【図１】本発明の実施の形態にかかる竿掛けであって、（ａ）は竿受け支持材の一端部に端部キャップを装着した後、竿受けを取り付ける前の状態を示す正面図、（ｂ）は竿受け支持材に端部キャップと竿受けを取り付けた状態を示す正面図である。
【図２】端部キャップの図であり、（ａ）は正面図、（ｂ）は右側面図、（ｃ）は左側面図、（ｄ）は平面図、（ｅ）は底面図である。
【図３】竿受けの図であり、（ａ）は正面図、（ｂ）は側面図、（ｃ）は平面図である。
【図４】（ａ）は竿掛けを設置したテラスの側面を内側から見た正面図、（ｂ）は（ａ）に示すＡ−Ａ線の断面図である。
【図５】（ａ）はテラスに竿掛けを設置する方法を示す斜視図、（ｂ）は（ａ）に示すＢ−Ｂ位置で切断した断面図である。
【図６】（ａ）は竿掛けに竿を掛ける前の状態を示す正面図、（ｂ）は竿掛けに竿を掛けたときの作用を説明する正面図である。
【図７】従来の竿掛けであって、（ａ）は竿受け支持材に端部キャップと竿受けを取り付けた状態を示す正面図、（ｂ）は平面図である。
【発明を実施するための形態】
【０００８】
以下に、添付図面を参照して本発明の実施の形態を説明する。
図４に示すように、本実施の形態にかかる竿掛け１は、躯体３に取り付けられたテラス５に用いられている。躯体３は、建物の外壁である。
テラス５は、屋根７を柱９で支持しており、屋根７の左右の垂木１１は、各々一端が柱９の上端に取り付けられた桁１３に固定され、他端が躯体３に取り付けられた垂木掛１５に固定されている。
左右の垂木１１には、各々竿掛け吊り具１７により竿掛け１が吊り下げられている。
竿掛け１および左右の各竿掛け吊り具１７の構成は、それぞれ略同じであるから、以下の説明では、一方の竿掛け１および竿掛け吊り具１７について説明する。
【０００９】
図１および図５に示すように、竿掛け１は、竿受け支持材１９と、端部キャップ２１と、竿受け２３と、ネジ２５とを備えている。
図５（ｂ）に示すように、竿受け支持材１９は、中空を有する断面略四角形状を成し、上部の外側には長手方向に段差部２７が形成されている。また、図５（ａ）に示すように、竿受け支持材１９の上面には、後述するスライド棒７５を挿入する挿入孔２９が形成されている。
図１および図２に示すように、端部キャップ２１は、基部３１と、竿受け支持材１９の中空内に挿入される挿入部３３と、竿受け支持材１９の端面３５の上部３５ａを除く部分３５ｂを覆う外周部３７と、外周部３７の上側に設けた上部当接部３８とを備えている。上部当接部３８は、竿受け支持材１９の端面３５の上部３５ａに当接するように、外周部３７よりも竿受け支持材１９側の端面が基部３１側に凹んでいる。
挿入部３３と外周部３７との間には、竿受け支持材１９の端面３５の側部に当接する、側部当接部３９が設けてある。
外周部３７の上側には、竿受け２３に係合する係合部４１が設けてある。係合部４１は、基部３１の外周部３７の上面から上方に突設してあり、図２（ｃ）（ｄ）に示すように、側面視略台形の帯状に突設してある。
また、端部キャップ２１には、竿受け支持材１９の段差部２７に対応して段差部４３が形成されている。
図１および図２に示すように、端部キャップ２１において、外周部３７の下部には、水抜き穴４５が形成されている。
【００１０】
図１および図３に示すように、竿受け２３には、上側を開口する湾曲面状の凹部４７が形成されており、凹部４７の内周面が竿受け面４９になっている。
竿受け面４９には、凹部４７の左右側面５１に、凹部４７の内側に突出する突出部５３と、突出部５３から凹部４７の開口部側へ開口を広げるように上方に向けて傾斜する傾斜面５５とを備えている。
凹部４７の底面側には、ネジ２５を装着するネジ装着孔５７と排水溝５９とが形成されている。ネジ装着孔５７は、ネジ２５の頭２５ａを収納するネジ頭収納孔５７ａと、ネジ２５の軸２５ｂが挿通される軸挿通孔５７ｂとから構成されている。ネジ頭収納孔５７ａには、排水溝５９が連通されている。
排水溝５９は、ネジ頭収納孔５７ａの内周面から竿受け２３の外側端に亘って形成されている。
【００１１】
また、図１および図３に破線で示すように、竿受け２３は、内側が中空であり、中空を形成している空間と下側の左右の各側壁６１とで被係合部６３が形成されている。なお、竿受け２３の底面６５は、竿受け支持材１９の上面に載置する載置面としてある。
さらに、竿受け２３の下側には、竿受け２３の外側で底面６５よりも下方に突出する位置決め部６７が設けてあり、竿受け支持材１９の段差部２７に係合して位置決めされるようになっている。
なお、竿受け２３の左右の側壁６１には、紐や針金等の抜け止め部材を係止するための係止溝６９が形成されている。
【００１２】
図５に示すように、竿掛け吊り具１７は、取り付け金具７１と吊金具７３とスライド棒７５とから構成されている。
取り付け金具７１は、垂木１１の下面にネジ７７で取り付けてあり、吊金具７３は、取り付け金具７１に地面に対して垂直に取り付けてある。スライド棒７５の上端は、吊金具７３にネジ８１ａ、８１ｂで固定してある。
【００１３】
次に、竿掛け１の組み立てについて説明する。
竿掛け１の組み立ては、図１（ａ）に示すように、竿受け支持材１９の端部に、端部キャップ２１を装着する。端部キャップ２１の挿入部３３は、竿受け支持材１９の中空内に挿入され、上部当接部３８は、竿受け支持材１９の端面３５の上部３５ａに当接し、側部当接部３９は、竿受け支持材１９の端面３５の側部に当接する。
つづいて、図１（ｂ）に示すように、端部キャップ２１を装着した竿受け支持材１９の端部に、上から竿受け２３を装着するように竿受け２３の底面６５を竿受け支持材１９の上面に載置する。これにより、端部キャップ２１の係合部４１が竿受け２３の被係合部６３に係合する。
このとき、図５に示すように、竿受け２３の位置決め部６７を、端部キャップ２１の段差部４３および竿受け支持材１９の段差部２７に係合する。
その後、ネジ２５をネジ装着孔５７に装着し、ネジ２５の頭２５ａはネジ頭収納孔５７ａに着座し、ネジ２５の軸２５ｂを軸挿通孔５７ｂに挿通して、ネジ２５を締め付けて竿受け支持材１９に螺合する。
【００１４】
次に、本実施の形態にかかる竿掛け１の設置について説明する。
まず、テラス５の垂木１１に竿掛け吊り具１７を設置する。図５に示すように、竿掛け吊り具１７は、垂木１１の下面に取り付け金具７１をネジ７７で取り付けて、取り付け金具７１にネジ７９ａで吊金具７３を摺動可能に仮止めし、吊金具７３が垂下した状態にしてネジ７９ｂで本固定する。次に、スライド棒７５の上端を、吊金具７３の下端から中空内に挿入して、ネジ８１ａで仮止めして、高さを調節した後にネジ８１ｂで本固定する。
つづいて、スライド棒７５の他端を竿受け支持材１９の挿入孔２９に挿入して、ネジ８３で固定して竿掛け１を取り付ける。このようにして、図４に示すように、テラス５の垂木１１に竿掛け１を吊り下げる。
【００１５】
次に、本実施の形態にかかる竿掛け１の作用効果について説明する。
本実施の形態によれば、竿掛け１では、竿受け支持材１９の端部に装着した端部キャップ２１の係合部４１は、竿受け２３の被係合部６３に係合しているため、端部キャップ２１の脱落を防止できる。
端部キャップ２１の係合部４１が竿受け２３の被係合部６３に係合して、竿受け２３の取り付けと同時に端部キャップ２１を固定できるため、組み立て性が良い。
端部キャップ２１の係合部４１が竿受け２３の被係合部６３に係合して、端部キャップ２１が固定してあり、端部キャップ２１はネジ等で固定していないので意匠性が良い。
【００１６】
竿受け２３は、ネジ装着孔５７には排水溝５９が形成されているため、雨水がネジ装着孔５７に溜まらずに、排水溝５９を通って竿受け２３の外部へ排水できる。
もし、排水溝５９が無い場合には、ネジ装着孔５７に雨水が溜まり、軸挿通孔５７ｂを通って、竿受け支持材１９にネジ２５が螺合している溝から竿受け支持材１９内に雨水が浸入し、後日竿受け支持材１９に溜まった雨水が、端部キャップ２１から流れ出るという不都合がある。しかし、本実施の形態では、ネジ装着孔５７には排水溝５９が連通されているから、かかる不都合がない。
また、万が一、竿掛け吊り具１７のスライド棒７５を挿入する竿受け支持材１９の挿入孔２９等から竿受け支持材１９の中に雨水が浸入した場合には、直ぐに端部キャップ２１の水抜き穴４５から排水できる。
図５に示すように、竿掛け１では、竿受け２３の位置決め部６７が、端部キャップ２１の段差部４３と竿受け支持材１９の段差部２７に係合しているので、ネジ２５を締め付けて取り付ける時や使用中に、竿受け２３がネジ２５を中心に回転することを防止できる。
図６（ａ）に示すように、竿受け２３の竿受け面４９には、開口の上側に開口に向かう傾斜面５５が形成されているから、傾斜面５５を滑るようにして竿８５を竿受け面４９に配置できるから竿受け２３に入れ易い。
また、図６（ｂ）に示すように、竿受け２３の竿受け面４９に配置した竿８５は、例えば物干し中に揺れやがたつき等が生じた場合でも、抜けようとすると、突出部５３に当たって返しとなるので、抜け難い。
竿受け２３には、側面に係止溝６９が形成されているので、必要に応じて、竿受け２３に配置した竿８５を係止溝６９に紐や針金等の抜け止め部材を掛けて、竿８５を固定することができる。
【００１７】
本発明は、上述した実施の形態に限らず、本発明の要旨を逸脱しない範囲で種々に変形可能である。
例えば、本実施の形態において、端部キャップ２１の係合部を凹みにして、竿受け２３の被係合部を突起にしてもよい。
排水溝５９は、ネジ頭収納孔５７ａの内周面から竿受け２３の内側端に亘って形成されてもよい。
竿掛け吊り具１７は、垂木１１に限らず、妻垂木に吊り下げてもよい
また、竿掛け１は、吊り下げることに限らず、柱や台などで支持して設置してもよい。この場合、竿受け支持材１９の上面に、スライド棒７５を挿入する挿入孔２９を形成しない。
【符号の説明】
【００１８】
１      竿掛け
１９    竿受け支持材
２１    端部キャップ
２３    竿受け
２５    ネジ
４１    係合部
６３    被係合部
【図１】
2018121546.tif 000003
【図２】
2018121546.tif 000004
【図３】
2018121546.tif 000005
【図４】
2018121546.tif 000006
【図５】
2018121546.tif 000007
【図６】
2018121546.tif 000008
【図７】
2018121546.tif 000009